(57)【要約】【課題】電力需要者が使用している電力量の計測を行い、この計測値をもとに電気料金シミュレーションを行い、需要者の使用実態に沿う電気料金契約プランを提供する。【解決手段】所定時間毎に計測した電力需要者の使用電力に関する情報をもとに、各種の電気料金契約に対応した電気料金をシミュレーションによって算出する電気料金シミュレーションシステム。【選択図】図１
2008146116.tif 000002
【特許請求の範囲】
【請求項１】
所定時間毎に計測した電力需要者の使用電力に関する情報をもとに、各種の電気料金契約に対応した電気料金をシミュレーションによって算出する電気料金シミュレーションシステムであって、
前記各種の電気料金契約に関する情報が格納されている電気料金情報データベースと、
前記電力需要者が使用する電力量を測定する電力量測定装置から送信される、前記電力需要者の使用電力に関する情報が格納される電力需要者データベースと、
前記電力需要者の過去の電力使用実績に関する情報が格納されている顧客情報データベースと、
前記電力需要者が利用する需要者端末及び前記電力量測定装置と通信回線を介して情報の送受信を行う通信手段と、
前記需要者端末に送信する、前記のシミュレーションによって算出した電気料金を表示する電子メールを作成するメール作成手段と、
前記各データベース及び前記各手段を制御する制御手段とを備え、
該制御手段は、
前記電気料金情報データベースに格納されている各種の電気料金契約における料金情報と、
前記電力需要者データベースに格納されている電気料金算出のシミュレーション対象の電力需要者の使用電力に関する情報と、
前記顧客情報データベースに格納されている電気料金算出のシミュレーション対象の電力需要者の過去の電力使用実績に関する情報と
に基づいて、電気料金算出のシミュレーションを行う
ことを特徴とする電気料金シミュレーションシステム。
【請求項２】
前記のシミュレーションによって算出した電気料金を表示する電子メールには、少なくとも使用電力の電気料金が最も低価格となる電気料金契約による電気料金が表示されることを特徴とする請求項１に記載の電気料金シミュレーションシステム。
【請求項３】
過去に行なった前記電気料金のシミュレーション結果に関する情報が格納されている提案実績データベースを更に備えていると共に、
前記電気料金情報データベースには、更に、電力以外の他の使用熱源を電力に使用転換したときの対応料金情報が格納されており、
前記制御手段は、
前記電力需要者データベースに格納されている電気料金算出のシミュレーション対象の電力需要者の使用電力に関する情報と、
前記顧客情報データベースに格納されている電気料金算出のシミュレーション対象の電力需要者の過去の電力使用実績に関する情報と、
前記需要者端末から入力される前記他の使用熱源の使用量及びその使用料金を含む他の熱源情報と、
前記提案実績データベースに格納されている過去に行なった電気料金のシミュレーション結果に関する情報と、
前記電気料金情報データベースに格納されている前記対応料金情報と
に基づいて、前記他の使用熱源を電力に使用転換したときの対応料金算出のシミュレーションを併せて行う
ことを特徴とする請求項１又は２に記載の電気料金シミュレーションシステム。
【請求項４】
前記電力量測定装置は、
電流値を取得する電流値取得手段と、
所定時間ごとの電力量を演算する電力量演算手段と、
演算した電力量を蓄積する電力量蓄積手段と、
蓄積された電力量データをメール形式のデータに加工して送信出力する通信手段と、
これらの各手段を制御する制御手段と
を有するものであることを特徴とする請求項１乃至３のいずれか一項記載の電気料金シミュレーションシステム。
【発明の詳細な説明】
【技術分野】
【０００１】
この発明は、電力需要者が使用している電力を所定時間ごとに計測し、これを利用して多様な電気料金契約に対応した電気料金算出をシミュレーションする技術に関する。
【背景技術】
【０００２】
従来、電力会社は電力需要者（顧客）の生活様式の多様化に応じて、電力需要者へ供給する電気を様々な料金体系で提供している。例えば、１日の中でどの時間帯に電力を使用するかによりその使用料金を異にするタイプの電気料金契約プランや、季節により料金が変動するタイプの電気料金契約プラン、電圧の高低の違いにより料金を異にするタイプの電気料金契約プランなどを準備して電気を電力需要者へ供給している。
【０００３】
電力需要は日中に集中するため、発電設備も日中の電力需要ピークに対応したものとしなければならないが、発電コストの面からは、夜間の電力需要を拡大する等して、電力需要の平準化を図ることが望ましい。そこで、夜間電力への利用シフトを図るべく、夜間の電気料金単価が安価である電気料金契約プランなどが各種提案されている。
【０００４】
この電気料金契約プランは多種多様にわたるため、電力需要者の便に供することを目的として、電気料金契約を提案するシミュレーションが電力会社のウェブサイトで利用可能になっている。
【０００５】
図７は、電力会社のウェブサイトで公開されるこのような電気料金契約プラン提供のための電力需要者による入力画面の一例を説明するものである。
【０００６】
電力需要者が図７に示す入力画面に使用している電気機器と消費電力、台数、使用時間帯をそれぞれ入力することで、電気料金シミュレーションが行われ、自己の使用形態に合う、より安価となる電気料金契約の提案を受けることができる。
【０００７】
上記の電気料金シミュレーションの利用を促進すべく、電力供給会社のＷｅｂサーバと電力需要者のブラウザ端末とを接続して、各種の電気料金契約の中から最適な契約を選択提示するシミュレーションを行う電気料金シミュレーションシステムも提案されている（例えば、特許文献１参照）。
【特許文献１】特開２００２−２９７７１４号公報
【発明の開示】
【発明が解決しようとする課題】
【０００８】
しかし、電気料金契約プランは、前述したように、１日の中でどの時間帯に電力を使用するかによりその使用料金を異にするタイプ、季節により料金が変動するタイプ、電圧の高低の違いにより料金を異にするものなど多種多様にわたるため、電力需要者の感覚により入力する上記特許文献１の電気料金シミュレーションでは、提案された電気料金契約プランに不確定要素が多く残る可能性がある。
【０００９】
そこで、この発明は、電力需要者が使用している電力量の計測を行い、この計測値をもとに電気料金シミュレーションを行い、電力需要者の使用実態に沿う電気料金契約プランを提供することを目的にしている。
【課題を解決するための手段】
【００１０】
本発明は、電力需要者が使用している電力を所定時間ごとに計測し、これを利用して、各種の電気料金契約に対応した電気料金をコンピュータによるシミュレーションによって算出し、電力需要者に有利となる電気料金契約を提示することによって、前記課題の解決を図ったものである。
【００１１】
すなわち、前記目的を達成するために本発明が提案するものは、所定時間毎に計測した電力需要者の使用電力に関する情報をもとに、各種の電気料金契約に対応した電気料金をシミュレーションによって算出する電気料金シミュレーションシステムである。
【００１２】
この本発明の電気料金シミュレーションシステムは、電気料金情報データベースと、電力需要者データベースと、顧客情報データベースと、通信手段と、メール作成手段と、前記各データベース及び前記各手段を制御する制御手段とを備えている。
【００１３】
ここで、電気料金情報データベースには、前記各種の電気料金契約に関する情報が格納され、電力需要者データベースには、電力需要者が使用する電力量を測定する電力量測定装置から送信される、前記電力需要者の使用電力に関する情報が格納され、顧客情報データベースには、前記電力需要者の過去の電力使用実績に関する情報が格納されている。
【００１４】
また、通信手段は、前記電力需要者が利用する需要者端末および前記電力量測定装置と通信回線を介して情報の送受信を行ない、メール作成手段は、前記需要者端末に送信する、前記のシミュレーションによって算出した電気料金を表示する電子メールを作成するものである。
【００１５】
かかる構成からなる本発明の電気料金シミュレーションシステムは、前記制御手段が、前記電気料金情報データベースに格納されている各種の電気料金契約における料金情報と、前記電力需要者データベースに格納されている電気料金算出のシミュレーション対象の電力需要者の使用電力に関する情報と、前記顧客情報データベースに格納されている電気料金算出のシミュレーション対象の電力需要者の過去の電力使用実績に関する情報とに基づいて、電気料金算出のシミュレーションを行うことを特徴にしている。
【００１６】
前記の電気料金情報データベースに格納されている各種の電気料金契約に関する情報は、電力会社が電力需要者の生活様式の多様化に応じて、電力需要者へ供給する電気を様々な料金体系で提供するべく準備している種々の電気料金契約プランに関する情報である。
【００１７】
すなわち、１日の中でどの時間帯に電力を使用するかによりその使用料金を異にするタイプの電気料金契約プランや、季節により料金が変動するタイプの電気料金契約プラン、電圧の高低の違いにより料金を異にするタイプの電気料金契約プランなどの種々の電気料金契約プランに関する情報であって、各電気料金契約プランごとに、使用する電力量に応じた電気料金、一日の中の電力を使用する時間帯に応じた電気料金、一日の中の電力を使用する時間帯及び当該使用時間帯において使用している電力量に応じた電気料金、季節ごとにおける電気料金、季節ごと及び当該季節において使用している電力量に応じた電気料金、電圧の高低の違いによる電気料金、電圧の高低の違い及び当該電圧において使用している電力量に応じた電気料金、等々に関する情報が前記の電気料金情報データベースに格納されている。
【００１８】
前述した本発明の電気料金シミュレーションシステムによれば、電力需要者が使用する電力を所定時間ごと（例えば、１時間ごと）に計測することで、当該電力需要者の客観的な電力使用量を把握でき、各種提供されている電気料金契約プランによる電気料金シミュレーションをより正確に行うことが可能となる。
【００１９】
すなわち、電力需要者が使用する電力を所定時間ごと（たとえば、１時間ごと）に計測することにより、電力を使用する時間帯を、電気料金の安価な夜間時間帯に移行した料金契約や、より時間帯を細分化した安価となる料金契約に移行するための、電力使用実態に即したより正確な判断が可能となる。
【００２０】
そして、電力需要者はこの料金シミュレーションの結果を需要者端末においてメール受信でき、具体的で、詳細なシミュレーション結果を得ることができる。
【００２１】
なお、前記本発明の電気料金シミュレーションシステムにおいて、前記制御手段が行う制御により、前記のシミュレーションによって算出した電気料金を表示する電子メールに、少なくとも使用電力の電気料金が最も低価格となる電気料金契約による電気料金が表示されるようにすることができる。
【００２２】
このように電気料金シミュレーションの結果に最も低価格となる電気料金契約の電気料金が表示されていれば、現在の電気料金契約の電気料金との比較が容易となり、契約の見直しの客観的判断材料となる。
【００２３】
また、前記本発明のいずれの電気料金シミュレーションシステムにおいても、過去に行なった前記電気料金のシミュレーション結果に関する情報が格納されている提案実績データベースを更に備えていると共に、前記電気料金情報データベースには、更に、電力以外の他の使用熱源を電力に使用転換したときの対応料金情報が格納されており、前記制御手段が、前記電力需要者データベースに格納されている電気料金算出のシミュレーション対象の電力需要者の使用電力に関する情報と、前記顧客情報データベースに格納されている電気料金算出のシミュレーション対象の電力需要者の過去の電力使用実績に関する情報と、前記需要者端末から入力される前記他の使用熱源の使用量及びその使用料金を含む他の熱源情報と、前記提案実績データベースに格納されている過去に行なった電気料金のシミュレーション結果に関する情報と、前記電気料金情報データベースに格納されている前記対応料金情報とに基づいて、前記他の使用熱源を電力に使用転換したときの対応料金算出のシミュレーションを併せて行う形態にすることができる。
【００２４】
ここで、前記の電力以外の他の使用熱源を電力に使用転換したときの対応料金情報は、ガス、灯油、等を使用する電力以外の機器（熱源）の発熱量と、電力使用機器の発熱量及びその消費電力、使用時間帯の電気料金等の要素から算出されているものである。
【００２５】
前記の提案実績データベースに格納されている過去に行なった電気料金のシミュレーション結果に関する情報には、各シミュレーション結果における電力需要者の使用電力に関する情報と、当該電力需要者の過去の電力使用実績に関する情報及び、当該電力需要者における他の使用熱源の使用量及びその使用料金を含む他の熱源情報、当該電力需要者における使用熱源を電力に使用転換したときの対応料金算出シミュレーション結果、これに基づいて当該シミュレーションの結果提案された電化機器（給湯・調理）及び提案された電気料金契約プランとが含まれている。
【００２６】
そこで、電気料金算出のシミュレーション対象の電力需要者の使用電力に関する情報及び過去の電力使用実績に関する情報、並びに、電気料金算出のシミュレーション対象の電力需要者の他の使用熱源の使用量及びその使用料金を含む他の熱源情報を参照して、前記の提案実績データベースに格納されている情報と比較し、前記電気料金情報データベースに格納されている対応料金情報に基づいて、他の使用熱源を電力に使用転換したときの対応料金算出のシミュレーションを行うものである。
【００２７】
電力を使用する電力需要者が電力以外の他の熱源、例えば、ガスや灯油を併用している場合に、これらを電力に使用転換したときの対応する電気料金が併せて提示されれば、例えば、オール電化住宅の採用や、電気機器の新たな導入を行うときの最適な判断材料の提供となる。
【００２８】
この対応料金算出のシミュレーションにおいては、前記の提案実績データベースに格納されている情報（特に、電力需要者の使用電力量、当該電力需要者の過去の電力使用実績、当該電力需要者における他の使用熱源の使用量及びその使用料金が類似している過去に行なった電気料金のシミュレーション結果）を参考にして、これらの情報が類似している過去の電気料金のシミュレーションで提案した電化機器（給湯・調理）及び電気料金契約プランを作成することが可能である。
【００２９】
なお、前記電気料金情報データベースに格納されている、電力以外の他の使用熱源を電力に使用転換したときの対応料金情報に、初期費用としての設備費用およびその回収期間に関する情報も含めておき、他の使用熱源（ガス、灯油、等を使用する電力以外の機器（熱源））を電力に使用転換したときの対応料金算出の際に、初期費用としての設備費用及び／又は初期費用の回収期間を併せて提示可能にすることもできる。
【００３０】
このようにすれば、オール電化等の判断を一層容易ならしめることができ、初期費用の回収期間をも提示することで、より一層のオール電化等の促進を図ることができる。
【００３１】
以上の本発明のいずれの電気料金シミュレーションシステムにおいても、前記の電力量測定装置は、電流値を取得する電流値取得手段と、所定時間ごとの電力量を演算する電力量演算手段と、演算した電力量を蓄積する電力量蓄積手段と、蓄積された電力量データをメール形式のデータに加工して送信出力する通信手段と、これらの各手段を制御する制御手段とを有するものとすることができる。
【００３２】
これによって、電力需要者のところに既設されている分電盤又は通信機能を有さない電力量計に、前述した電力量測定装置を取り付けることにより、電力を使用している電力需要者が使用している電力を所定時間ごとに計測することを簡単、確実に行なうことができ、本発明の電気料金シミュレーションシステムの利用促進を図ることができる。
【００３３】
なお、前記本発明のいずれの電気料金シミュレーションシステムにおいても、電力需要者がその利用している需要者端末から、自らが使用している電力の計測値を直接取得できるようにすることもできる。このようにすれば、電力需要者は時間帯別毎の電力使用量をモニターできるので、節電対策等にも利用できる。
【００３４】
また、本発明の電気料金シミュレーションシステムによるシミュレーション結果は前述したように、提案実績データベースに格納することにより、他の電力需要者の電気料金契約変更の判断資料に利用することが可能になる。
【発明の効果】
【００３５】
本発明の電気料金シミュレーションシステムによれば、電力需要者が使用する電力を所定時間ごとに計測することで、当該電力需要者の客観的な電力使用量を把握でき、各種提供されている電気料金契約による料金シミュレーションをより正確に行うことが可能となる。そこで、多様化した電気料金契約に対応した電気料金シミュレーションを行って、電力需要者にとって最適な電気料金契約選択の判断材料を提供することができる。
【発明を実施するための最良の形態】
【００３６】
以下、添付図面を参照して本発明の好ましい実施形態を説明する。
【００３７】
図１に例示するように、本発明の電気料金シミュレーションシステムは、本発明の電気料金シミュレーションシステムを提供する者がインターネット等のネットワークに接続可能に設置するサーバ装置１と、電力需要者が使用する需要者端末２と、電力需要者が使用する電力量を測定する電力量測定装置５とからで構成される。
【００３８】
図示の実施形態では、電力量測定装置５は、電力需要者宅内に設置されている分電盤３の漏電遮断機から出た配線に取り付けられたＣＴから電流値を取得するようになっており、家庭内に既設されている分電盤３に後付け可能なものになっている。
【００３９】
なお、電力量測定装置５が、分電盤３に接続される形態に替えて、通信機能を有さない電力量計に接続される形態にすることもできる。
【００４０】
サーバ装置１は、顧客情報データベース１０、電気料金情報データベース１１、電力需要者データベース１２、提案実績データベース１３、通信手段１４、メール作成手段１６、前記各データベース及び前記各手段を制御する制御手段１５を備えている。
【００４１】
顧客情報データベース１０には、電力需要者を特定する情報、例えば、電力需要者の契約番号に関連付けて、電力需要者に関する情報（例えば、電力需要者の氏名・名称、住所、など）、電力需要者の過去の電力使用実績に関する情報が格納されている。
【００４２】
電気料金情報データベース１１には、電力会社から電力需要者に対して提供される各種の電気料金契約に関する情報や、電力以外の他の使用熱源（例えば、ガス）を電力に使用転換したときの対応料金情報が格納されている。
【００４３】
電気料金情報データベース１１に格納されている各種の電気料金契約に関する情報には、１日の中でどの時間帯に電力を使用するかによりその使用料金を異にするタイプの電気料金契約プランや、季節により料金が変動するタイプの電気料金契約プラン、電圧の高低の違いにより料金を異にするタイプの電気料金契約プランなどの種々の電気料金契約プランに関する情報であって、各電気料金契約プランごとに、使用する電力量に応じた電気料金、一日の中の電力を使用する時間帯に応じた電気料金、一日の中の電力を使用する時間帯及び当該使用時間帯において使用している電力量に応じた電気料金、季節ごとにおける電気料金、季節ごと及び当該季節において使用している電力量に応じた電気料金、電圧の高低の違いによる電気料金、電圧の高低の違い及び当該電圧において使用している電力量に応じた電気料金、等々に関する情報が含まれている。
【００４４】
また、電力以外の他の使用熱源（すなわち、ガス、灯油、等を使用する電力以外の機器（熱源））の発熱量と、電力使用機器の発熱量及びその消費電力、使用時間帯の電気料金等の要素から算出されている、電力以外の他の使用熱源を電力に使用転換したときの対応料金情報（初期費用としての設備費用およびその回収期間に関する情報も含む）も、この電気料金情報データベース１１に格納されている。
【００４５】
電力需要者データベース１２には電力量測定装置５から送信される、電力需要者の使用電力に関する情報が格納されている。
【００４６】
提案実績データベース１３には、過去に行なった電気料金のシミュレーション結果に関する情報が格納されている。
【００４７】
この過去に行なった電気料金のシミュレーション結果に関する情報には、各シミュレーション結果における電力需要者の使用電力に関する情報と、当該電力需要者の過去の電力使用実績に関する情報及び、当該電力需要者における他の使用熱源の使用量及びその使用料金を含む他の熱源情報、当該電力需要者における使用熱源を電力に使用転換したときの対応料金算出シミュレーション結果、これに基づいて当該シミュレーションの結果提案された電化機器（給湯・調理）及び提案された電気料金契約プランとが含まれている。
【００４８】
通信手段１４は、需要者端末２および電力量測定装置５とインターネット等の通信回線１７を介して情報の送受信を行うものである。
【００４９】
メール作成手段１６は、本発明の電気料金シミュレーションシステムが行なうシミュレーションによって算出され、需要者端末２に対して前記の通信手段１２を介して送信する電気料金を表示する電子メールを作成するものである。
【００５０】
サーバ装置１のハードウェア構成は、汎用機である通常のコンピュータとその周辺機器からなるものとすることができる。
【００５１】
例えば、顧客情報データベース１０、電気料金情報データベース１１、電力需要者データベース１２、提案実績データベース１３は、ハードディスク等の外部記憶装置から構成することができる。
【００５２】
また、通信手段１４はコンピュータ周辺機器の通信装置であるモデム等から構成することができる。
【００５３】
更に、メール作成手段１６および制御手段１５は、コンピュータ本体のＣＰＵおよびＲＡＭ等から構成することができる。
【００５４】
なお、メール作成手段１６として別途メールサーバを設けてもよい。
【００５５】
メール作成手段１６および制御手段１５は、ＣＰＵおよびＲＡＭ等がハードディスク等にインストールされているＯＳの下、同じくインストールされている所定のコンピュータプログラムを動作させることにより前記の機能を発揮するようにできる。
【００５６】
需要者端末２は、汎用機であるパーソナルコンピュータとマウス、ディスプレイ、キーボード、モデム等の周辺機器を備えた構成からなるものにすることができるが、インターネット等の通信回線１７に接続し、通信手段１４を有するサーバ装置１を閲覧し、サーバ装置１と相互に交信できるものであればＰＤＡ、携帯端末、携帯電話等であってもよい。
【００５７】
図１図示の実施形態に採用されている分電盤３は、電力会社から送電線２１を介して配電されてきた電気を住宅内に分岐するための機器であり、公知のように、電気を配電する分岐回路の他、漏電が発生すると自動的に電気を遮断する漏電遮断機を備えている。
【００５８】
電力量測定装置５は、電流値を取得する電流値取得手段２３と、所定時間（例えば、１時間）ごとの電力量を演算する電力量演算手段２４と、演算した電力量を蓄積する電力量蓄積手段２５と、蓄積された電力量データをメール形式のデータに加工しサーバ装置１に送信する通信手段２６と、これらの各手段を制御する制御手段２７とを有するものである。
【００５９】
図１図示の実施形態では、電力量測定装置５は、分電盤３の漏電遮断機から出た配線に取り付けられたＣＴから電流値を取得している。
【００６０】
前記の通信手段２６は、電力量蓄積手段２５に蓄積された電力量データをメール形式のデータに加工し、家庭内のＬＡＮを経由してインターネット等の通信回線１７に接続し、サーバ装置１に送信するものとするものである。
【００６１】
電力量測定装置５は、インターネット等のネットワークを介して外部の機器と情報の交信が可能な通信機能を有するコンピュータとその周辺機器から構成できる。すなわち、電流値取得手段２３、電力量演算手段２４、電力量蓄積手段２５、通信手段２６などは、インターネット等のネットワークを介して外部の機器と情報の交信が可能な通信機能を有するコンピュータのＣＰＵ、ＲＯＭ、ＲＡＭなどが、所定のコンピュータプログラムの下に処理動作を実行することにより前記の機能を発揮するものである。
【００６２】
なお、図示の実施形態では家庭内のＬＡＮを経由して情報を送信しているが、これに限定するものでなく他の通信手段、電話回線、光ファイバー等を用いることも当然可能である。
【００６３】
次に、本発明の電気料金シミュレーションシステムが実行する動作について、その一例を、図２、図３の流れ図を参照して説明する。
【００６４】
本発明の電気料金シミュレーションシステムの利用を希望する電力需要者は、自己が使用する需要者端末２から通信回線１７を介して本発明の電気料金シミュレーションシステムを提供する者（例えば、電力会社）が開設しているＷｅｂサイトにアクセスし、本発明の電気料金シミュレーションシステムの利用を申し込む。
【００６５】
申し込みに際しては、電力需要者の契約番号あるいは、電力需要者に関する情報（例えば、電力需要者の氏名・名称、住所、など）などを、Ｗｅｂサイト上の入力画面に入力する。このようにして本発明の電気料金シミュレーションシステムの利用登録が済んだ電力需要者に関する情報が、サーバ装置１の顧客情報データベース１０で管理されるようになる。
【００６６】
このようにして本発明の電気料金シミュレーションシステムの利用登録が済んだ電力需要者のところには電力量測定装置５が設置される。
【００６７】
例えば、図１図示の実施形態では既設の分電盤３に対して、分電盤３の漏電遮断機から出た配線に取り付けられたＣＴから電流値を取得するように電力量測定装置５が後付けされる。
【００６８】
電力量測定装置５は、まず、それが接続された機器を識別する情報であるメータＩＤを取得する（図２のＳ１０１）。
【００６９】
そして、この電力量測定装置５が設置された電力需要者のところにおける使用電力量を測定するために、電力量測定装置５の電流値取得手段２３が電流値を取得する（Ｓ１０２）。例えば、３０分間隔ごとに電流値を取得する。
【００７０】
次に、電力量演算手段２４が、所定時間（例えば、１時間）ごとの電力量を演算し（Ｓ１０３）、電力量蓄積手段２５に所定時間（例えば、１時間）ごとの電力量が蓄積される（Ｓ１０４）。
【００７１】
ついで、データ送信日時であるかどうかを判定し（Ｓ１０５）、データ送信日時であるときには、通信手段２６が、電力量蓄積手段２５に蓄積されている電力量データ（例えば、１時間ごとの電力量）をメール形式のデータに加工し（Ｓ１０６）、家庭内ＬＡＮ及び通信回線１７を介してサーバ装置１に送信する（Ｓ１０７）。
【００７２】
なお、電力量データを送信する間隔は、１週間に１回程度のように、電力量測定装置５を取り付ける際に設定しておくことができる。
【００７３】
サーバ装置１では電力量測定装置５の通信手段２６から送信されてきた電力量データ（例えば、１時間ごとの電力量）を電力需要者データベース１２に、各電力需要者（本発明の電気料金シミュレーションシステムの利用登録が済んでいる各電力需要者）ごとに格納する（図３のＳ２０１）。
【００７４】
なお、本明細書、図面において「データベース」を単に「ＤＢ」と表すことがある。
【００７５】
本発明の電気料金シミュレーションシステムの利用登録が済んでいて、本発明の電気料金シミュレーションシステムによるシミュレーションの実行を希望する電力需要者は、自己の使用する需要者端末２から通信回線１７を介して、本発明の電気料金シミュレーションシステムを提供する者が開設しているＷｅｂサイトにアクセスし、シミュレーションの実行を依頼する。
【００７６】
この依頼を受けたサーバ装置１では、当該需要者端末２に対して、シミュレーション諸元データの入力を依頼する（Ｓ２０２）。
【００７７】
電力需要者はこの依頼に基づいて、需要者端末２からシミュレーション諸元データを入力し（Ｓ２０３）、これをサーバ装置１へ送信して（Ｓ２０４）、サーバ装置１がこれを受信する（Ｓ２０５）。
【００７８】
前記の電力需要者が需要者端末２から入力するシミュレーション諸元データには、例えば、現在の使用熱源（例えば、給湯：ガス、調理：ガス）に関する情報、現在の使用熱源の供給者（例えば、ガス会社名）に関する情報、現在使用している熱源の使用量（例えば、ガス使用量）に関する情報、現在使用している熱源の使用料金（例えば、ガス使用料金）に関する情報、現在使用している熱源の使用機器に関する情報（給湯、調理）（機器製造メーカ、型式、価格、設置工事費、使用年数、等）に関する情報などが含まれる。
【００７９】
サーバ装置１では、制御手段１５により、顧客情報ＤＢ１０などからシミュレーション諸元データが抽出され（Ｓ２０６）、電力料金のシミュレーションが行なわれる。
【００８０】
例えば、電力需要者データベース１２に格納されているシミュレーション実行希望者である電力需要者の１時間ごとの使用電力量（実績値）から、夜間率・デイタイム率を算出し、各月の基準夜間率・デイタイム率を補正する（Ｓ２０７）。
【００８１】
これに基づいて、電力料金のシミュレーションを行なう（Ｓ２０９）。
【００８２】
例えば、電気料金情報データベース１１に格納されている各種の電気料金契約に関する情報、すなわち、１日の中でどの時間帯に電力を使用するかによりその使用料金を異にするタイプの電気料金契約プランや、季節により料金が変動するタイプの電気料金契約プラン、電圧の高低の違いにより料金を異にするタイプの電気料金契約プランなどの種々の電気料金契約プランに関する情報であって、各電気料金契約プランごとに、使用する電力量に応じた電気料金、一日の中の電力を使用する時間帯に応じた電気料金、一日の中の電力を使用する時間帯及び当該使用時間帯において使用している電力量に応じた電気料金、季節ごとにおける電気料金、季節ごと及び当該季節において使用している電力量に応じた電気料金、電圧の高低の違いによる電気料金、電圧の高低の違い及び当該電圧において使用している電力量に応じた電気料金、等々に関する情報を参照して、シミュレーション実行希望者である電力需要者の補正された各月の基準夜間率・デイタイム率を利用し、電力を使用する時間帯を、電気料金の安価な夜間時間帯に移行した料金契約や、より時間帯を細分化した安価となる料金契約に移行する電気料金契約プランを選択し、その下で、選択された電気料金契約の料金算出プログラムにより電気料金を計算する。
【００８３】
こうしてシミュレーションによって算出された電気料金を表示する電子メールが、需要者端末２に対して通信手段１４を介して送信され（Ｓ２１０）、電力需要者が需要者端末２でこれを受信する（Ｓ２１１）。
【００８４】
電気料金のシミュレーションでは、前記のように、シミュレーション実行希望者である電力需要者の補正された各月の基準夜間率・デイタイム率を利用し、電力を使用する時間帯を、電気料金の安価な夜間時間帯に移行した料金契約や、より時間帯を細分化した安価となる料金契約に移行する電気料金契約プランを選択し、その下で、電気料金が計算されるので、前記のシミュレーションによって算出した電気料金を表示する電子メールには、少なくとも使用電力の電気料金が最も低価格となる電気料金契約による電気料金が表示されることになる。
【００８５】
また、電気料金算出のシミュレーションを希望する電力需要者の使用電力に関する情報及び過去の電力使用実績に関する情報、並びに、シミュレーション対象の電力需要者が現在使用している他の使用熱源の使用量及びその使用料金を含む他の熱源情報を参照して、提案実績データベース１３に格納されている情報と比較し、電気料金情報データベース１１に格納されている対応料金情報に基づいて、現在使用している他の使用熱源を電力に使用転換するときの、提案する電化機器（給湯、調理）、提案する電気料金契約プランが選択される（Ｓ２０８）。
【００８６】
そして、この提案に基づいて、電気料金算出のシミュレーションを希望する電力需要者が現在使用している他の使用熱源を電力に使用転換したときの対応料金算出のシミュレーションが行なわれる（Ｓ２０９）。
【００８７】
こうしてシミュレーションによって提案されることになった、現在使用している他の使用熱源を電力に使用転換するときの、提案する電化機器（給湯、調理）、提案する電気料金契約プラン及び、シミュレーションによって算出された、現在使用している他の使用熱源を電力に使用転換したときの対応料金を表示する電子メールが、需要者端末２に対して通信手段１４を介して送信され（Ｓ２１０）、電力需要者が需要者端末２でこれを受信する（Ｓ２１１）。
【００８８】
図４、は測定された電力使用量を含む、電気料金シミュレーションに必要なデータが記録された、電力需要者データべース１２に格納される情報の一例を説明するものである。電力需要者の氏名、住所、契約番号、現在の電気料金契約内容、電子メール用のメールアドレスが上段の書誌的事項欄に記載されている。
【００８９】
中段には現契約による過去１年間の電力使用量が記載されており、これは応募した際に、電力会社のお客さま料金データベースから取得することができる。電力量計測は所定の期間、例えば１カ月間程度にわたって行うことから、この計測データの結果を過去１年間の電力量に反映させて料金シミュレーションするためである。
【００９０】
また、図４の中段の過去１年間のガス使用量及び料金欄として表示されている。
【００９１】
そして、図４の下段には電力量計による測定の結果が、即ち、使用電力の計測値が測定時間ごと（１時間ごと）に記録されている。ここでは４月１日０時から１時間ごとに４月３０日の２３時まで計測されている。
【００９２】
図５は現契約による料金と、本発明の電気料金シミュレーションシステムによる料金シミュレーションの結果、最も低価格となった電気料金契約及びその場合の料金とを対比提示した一例を表すものである。これは、サーバ装置１のメール作成手段１６により作成され、電気料金算出のシミュレーションを希望する電力需要者の需要者端末２に送信される。
【００９３】
図５の左欄には、現在の従量電灯Ａ契約の場合の料金算出の手順と計算式、合計料金が表示されている。この従量電灯Ａ契約は電力使用の時間帯に無関係に算出される契約のもので、あくまでも使用した電力量に応じた料金となる。
【００９４】
図５の右欄には、本発明の電気料金シミュレーションシステムにより提案された電気料金契約による料金算出の手順と計算式、合計料金が表示されている。
【００９５】
すなわち、この電力需要者は、日中の使用電力が少なく、反面、朝夕と夜間の使用電力が多いという特徴があることが、電力量計測により判明した。そこで、電気料金シミュレーションでは電気料金の安価な夜間電力を利用する時間帯別電灯の契約が最も低料金となり、提案したものである。
【００９６】
図５図示の例では、電気料金は、提案契約であれば３９７．４５円の減額となることを表示しており、この提案契約を過去１年に適用したときの減額料金も表示するようにしている（具体的金額は省略する）。過去１年間の料金計算は、モニター計測によって得た電力使用量を時間帯ごとに平均比率化し、これを過去１年間の電力使用量に適用して料金計算したものである。
【００９７】
また他の熱源であるガスの過去１年間使用量及びその料金についても、電気に使用転換した場合の料金と、その差額が表示される。電力需要者から入力された過去１年分の月ごとのガス使用量とその料金に加え、その使用割合すなわち調理分と給湯分の比率を家族構成、家族のガス利用状況データ等から按分した使用量とを判断材料とする。そして使用ガス機器の発熱量等と対応する電気機器の発熱量との関係から使用電力量を割り出す。このとき図５に示すように電力モニターで計測して得た、時間ごとの使用電力割合を適用して使用電力量を各料金タイムごとに振分ける。そして上記した提案電気料金契約の料金体系での料金を算出する。
【００９８】
このように使用電力の計測結果から、計測期間はもとより過去１年間の電力量についても計測結果を適用して判断するので、電力需要者に対して有用な電気料金シミュレーションの結果を提供できる。
【００９９】
またガス等の併用熱源についても電力転換したときの計算に計測結果を応用することで光熱費全体の低減材料をも図６図示のように提供することができる。
【図面の簡単な説明】
【０１００】
【図１】本発明の電気料金シミュレーションシステムの一例の概略構成を説明する概略構成図。
【図２】本発明の電気料金シミュレーションシステムにおける電力測定装置における処理動作の一例を説明する流れ図。
【図３】本発明の電気料金シミュレーションシステムによる電気料金シミュレーションの一例を説明する流れ図。
【図４】本発明の電気料金シミュレーションシステムにおいて、電力需要者データベースに格納される電力需要者ごとの計測情報等の一例を説明する図。
【図５】本発明の電気料金シミュレーションシステムにおいて、需要者端末に送信される電気料金シミュレーションの結果を表示する電子メールの内容の一例を表す図。
【図６】使用熱源をガスから電力に転換する場合の試算表を説明する概略図。
【図７】従来の電気料金シミュレーションのＷｅｂサイトの入力画面の一例を説明する図。
【符号の説明】
【０１０１】
１  サーバ装置
２  需要者端末
３  分電盤
５  電力量測定装置
１０  顧客情報データベース
１１  電気料金情報データベース
１２  電力需要者データベース
１３  提案実績データベース
１４  通信手段
１５  制御手段
１６  メール作成手段
１７  通信回線
２３  電流値取得手段
２４  電力量演算手段
２５  電力量蓄積手段
２６  通信手段
２７  制御手段
【図１】
2008146116.tif 000003
【図２】
2008146116.tif 000004
【図３】
2008146116.tif 000005
【図４】
2008146116.tif 000006
【図５】
2008146116.tif 000007
【図６】
2008146116.tif 000008
【図７】
2008146116.tif 000009